(57)【要約】【課題】評価対象の建築物が実在しなくともこの建物の照明状態を評価できる照明評価装置および照明設計方法を提供することを目的とする。【解決手段】建物の種別に対応する重みを記憶する記憶部と前記建物内の床面積、目標照度、および照明器具の全光束に基づいて、照明器具の台数を算出する台数算出部と前記算出された台数に基づいて、前記建物の天井面に設置される照明器具の配置を算出する配置算出部と前記床面積および前記算出された照明器具の配置に基づいて、前記建物内とこの建物の照明状態を表示する表示部と前記表示された建物の照明を評価する評価項目および前記建物種別を入力する入力部と；前記入力された評価項目および前記重みに基づいて建物での照明の評価値を算出する算出部と  を具備する照明評価装置が具備する。【選択図】図１
2009015397.tif 000002
【特許請求の範囲】
【請求項１】
建物の種別に対応する重みを記憶する記憶部と；
前記建物内の床面積、目標照度、および照明器具の全光束に基づいて、照明器具の台数を算出する台数算出部と；
前記算出された台数に基づいて、前記建物の天井面に設置される照明器具の配置を算出する配置算出部と；
前記床面積および前記算出された照明器具の配置に基づいて、前記建物内とこの建物の照明状態を表示する表示部と；
前記表示された建物の照明を評価する評価項目および前記建物種別を入力する入力部と；
前記入力された評価項目および前記重みに基づいて建物での照明の評価値を算出する算出部と
を具備することを特徴とする照明評価装置。
【請求項２】
前記入力された建物種別に対応して前記重みを切り替える切り替え部をさらに具備することを特徴とする請求項１記載の照明評価装置。
【請求項３】
前記評価値をレーダーチャートとして前記表示部に出力するレーダーチャート出力部
をさらに具備することを特徴とする請求項１または２記載の照明評価装置。
【請求項４】
建物内の床面積、目標照度、および照明器具の全光束に基づいて、照明器具の台数を算出するステップと；
前記算出された台数に基づいて、前記建物の天井面上での照明器具の配置を算出する配ステップと；
前記床面積および前記算出された照明器具の配置に基づいて、前記建物内とこの建物の照明状態を表示するステップと；
前記表示された建物の照明を評価する評価項目および前記建物種別を入力するステップと；
を記憶する記憶部と；
前記入力された評価項目および前記建物の種別に対応する重みに基づいて建物での照明の評価値を算出するステップと
を具備することを特徴とする照明評価方法。
【発明の詳細な説明】
【技術分野】
【０００１】
本発明は、建物の照明評価装置および照明評価方法に関する。
【背景技術】
【０００２】
建物での照明設計を支援する照明設備図面作成支援装置の技術が開示されている。すなわち、入力された建物の照明設計を行う部屋の床面積、照明器具の床面からの高さ、照明器具の種類を入力し、必要な照明器具の台数を算出し、自動的に照明器具を配置する。このため、建物の情報から照明設計を容易に行うことができる（例えば、特許文献１参照）。
【特許文献１】特開平８−８７５３５号公報
【発明の開示】
【発明が解決しようとする課題】
【０００３】
しかしながら、上記従来技術では照明設計で得られる照明環境を評価することができない。
【０００４】
上記に鑑み、本発明は、照明設計で得られる照明状態を評価できる照明評価装置および照明設計方法を提供することを目的とする。
【課題を解決するための手段】
【０００５】
上記の問題を解決するために請求項１に係る照明評価装置は、建物内の床面積、目標照度、および照明器具の全光束に基づいて、照明器具の台数を算出する台数算出部と前記算出された台数に基づいて、前記建物の天井面に設置される照明器具の配置を算出する配置算出部と前記床面積および前記算出された照明器具の配置に基づいて、前記建物内とこの建物の照明状態を表示する表示部と前記表示された建物の照明を評価する評価項目および前記建物種別を入力する入力部と前記建物の種別に対応する重みを記憶する記憶部と前記入力された評価項目および前記重みに基づいて建物での照明の評価値を算出する算出部とを具備することを特徴とする。
【０００６】
請求項２に係る照明評価装置は、入力された建物種別に対応して前記重みを切り替える切り替え部をさらに具備することを特徴とする。
【０００７】
請求項３に係る照明評価装置では、評価値をレーダーチャートとして前記表示部に出力するレーダーチャート出力部をさらに有することを特徴とする。
【０００８】
請求項４に係る照明設計方法は、建物内の床面積、目標照度、および照明器具の全光束に基づいて、照明器具の台数を算出するステップと前記算出された台数に基づいて、前記建物の天井面上での照明器具の配置を算出する配ステップと前記床面積および前記算出された照明器具の配置に基づいて、前記建物内とこの建物の照明状態を表示するステップと  前記表示された建物の照明を評価する評価項目および前記建物種別を入力するステップと  を記憶する記憶部と前記入力された評価項目および前記建物の種別に対応する重みに基づいて建物での照明の評価値を算出するステップとを具備することを特徴とする。
【発明の効果】
【０００９】
請求項１の発明によれば評価対象の建築物が実在しなくともこの建物の照明状態を評価できる照明評価装置を提供できる。
【００１０】
請求項２の発明によれば、建物の使用用途に対応して重みを切り替えることができる。
【００１１】
請求項３の発明によれば、評価値をレーダーチャートとして出力することができる。
【００１２】
請求項４の発明によれば、評価対象の建築物が実在しなくともこの建物の照明状態を評価できる照明評価方法を提供できる。
【発明を実施するための最良の形態】
【００１３】
以下、本発明の一実施形態に係る照明評価装置１００を詳細に説明する。図１は、照明評価装置１００の構成を示すブロック図である。
同図に示すように、照明評価装置１００は、データベース１１０、照明設計制御部１２０、入力部１３０、表示部１４０、記憶部１５０を備える。
【００１４】
データベース１１０には、窓種別テーブル、照明器具テーブル、建物仮想モデル、重み係数テーブルが記憶される。
窓種別テーブルは建物の壁面や天井面に取り付けられる採光用の窓などの情報（大きさや、形状）が記憶されている。
図２は、照明器具テーブルの一例を表す模式図である。
本図に示すように、照明器具テーブルは、照明器具の型番、消費電力、全光束が対応付けられたものである。さらに照明器具テーブルには照明器具の光度値などの配光データが対応つけられる。配光データは照明器具のまぶしさを示すグレアの算出に使用される。
【００１５】
照明器具の型番は、照明器具の形状および全光束の組み合わせを表す。例えば、形状が同じで全光束が異なる、形状が異なり全光束が同じ、形状および全光束共に異なるなどの条件によって型番が割り振られる。
消費電力は照明器具が消費する電力[Ｗ]であり、照明器具が環境に与える影響（環境負荷）の算出に使用される。
全光束は、その照明器具から発せられる光束[ｌｍ]である。
光束はＲ（赤）、Ｇ（緑）Ｂ（青）の光束成分に分解できる。
すなわち光束をＬとしたとき、光束Ｌと光束成分とは次式によって表すことができる。
Ｌ＝Ｌｒ+Ｌｇ+Ｌｂ
Ｌは照明器具から発せられる光束。ＬｒはＲ光束成分。ＬｇはＧ光束成分。ＬｂはＢ光束成分。
【００１６】
光束Ｌ中に占める各光束成分の割合は次式によって表すことができる。
・Ａｒ＝Ｌｒ/Ｌ
・Ａｇ＝Ｌｇ/Ｌ
・Ａｂ＝Ｌｂ/Ｌ
Ａｒは光束Ｌ中に占めるＲ光束成分の割合。Ａｇは光束Ｌ中に占めるＧ光束成分の割合。Ａｂは光束Ｌ中に占めるＢ光束成分の割合。
【００１７】
建物仮想モデルは、照明に関し、建物をモデル化し、その建物に照明器具を配置したときの照明状態（照度分布等）を計算可能としたものである。具体的には、建物仮想モデルは、後述の数式によって表現できる。
【００１８】
ここで、建物仮想モデルは、建物内での床面、机上面等の相対的な配置、これらの面での光学的条件（例えば、反射率）等がパラメータとして表現される。以下、建物仮想モデルで利用されるパラメータを説明する。
【００１９】
（１）相対的配置
床面は、間口、奥行きによって規定できる。「間口」とは、床面（または天井面）の横幅[ｍ]であり、「奥行き」とは、床面（または天井面）の縦幅[ｍ]である。
天井面は、床面からの高さ[ｍ]によって規定できる。即ち、天井面は床面と同一形状、同一サイズとする。
机上面は、床面からの高さ[ｍ]によって規定できる。ここでは、床面に机が配置されていると想定し、床面の面積と机上面の面積の比は考慮しない。一般のオフィスの場合、作業面の高さは床面上０．８[ｍ]である。
さらに、照明器具の高さ[ｍ]も建物仮想モデルでの照度の算出に利用される。
【００２０】
（２）光学的条件
光学的条件は天井面・壁面・床面それぞれでのＲＧＢ各光束成分の反射率、照明率、保守率。
「反射率」は、天井面、壁面、床面に当たった照明器具からの光の反射する割合[％]を示す。
「保守率」とは、建物における初期の平均照度が、時間の経過とともに低下してくる割合を予測した値である。照明器具からの光束、天井面等での反射率が時間の経過と共に低下することに基づく。
【００２１】
図３は、重み係数テーブルの一例を表す模式図である。
重み係数テーブルには、建物の種別毎に、照明の評価項目と重み係数が対応して表される。即ち、ここでは建物の種別毎に評価項目の重み変更される。
「建物の種別」は建物の使用用途に対応し、例えば、「オフィス」、「学校」、「ホテル」、「飲食店」、「病院」、「店舗」である。
【００２２】
評価項目は評価ジャンルごとに区分される。評価ジャンルは「明るさ」、「物の見え方」、「色の見え方」、「雰囲気」、「その他」、「環境負荷」である。
評価項目は、明るさに関する「維持照度」と「照度均斉度」、物の見え方に関する「グレア」、色の見え方に関する「光源の光色」、を含む。
さらに評価項目は、建物の雰囲気に関する「昼光利用」、「空間の色彩調和」、「開放感」に分けられる。
【００２３】
さらに評価項目は、「健康」、「高齢者への配慮」、「環境負荷」の項目を含んでいてもよい。
「維持照度」は建物における維持すべき平均照度を示す。
「照度均斉度」は、建物での照度の変動を示す情報である。「照度均斉度」は例えば机上面の最大照度と最小照度の比で表すことができる。この比が「１」に近づくほど机上面の明暗の差が少なくなる。
「グレア」は照明器具のまぶしさを示す。
「光源の光色」は例えば暖かい、普通、涼しいなど色の感じを示す情報である。この色の感じは「暖かい」はＲ光束成分が高い状態、普通はＲＢＧ各光束成分のバランスが良い状態、涼しいはＢ光束成分が高い状態を表す。
【００２４】
「昼光利用」は天窓の有無や、建物に配置される窓の大きさ配置位置によって、外部からの光を取り入れられるかを表す。
「空間の色彩調和」は例えば床面と、壁面の色が建物の使用用途に合っているかを表す。
「開放感」は建物の広さや天井の高さ、天窓の有無や、配置される窓の大きさ配置位置配置数によって規定される。
「健康」は照明器具に使用されている物質が使用者の健康に害を与えるものであるか否かを示す。照明器具に使用されている物質は照明器具の型番から特定可能である。
「環境負荷」は例えば電力の消費量によって規定され、「ＣＥＣ/Ｌ」」と呼ばれる方法で算出される。
【００２５】
「ＣＥＣ/Ｌ」 は、建物に設置される照明器具全体が1年間に実際に消費すると予測されるエネルギー量すなわち「年間照明消費エネルギー量」を、その設備システムに対して想定される標準的な年間消費エネルギー量すなわち「年間仮想照明消費エネルギー量」で割った値で表される。
なお「環境負荷」は延べ面積５０００ｍ２以下の建物では「ポイント法」と呼ばれる方法を用いて算出しても良い。
「ポイント法」は例えば、光源の種類、 照明器具の配置・照度、建物の形状、などの項目について、あらかじめ決められた仕様を満足した場合に、所定の得点が与えられる方法である。
入力部１３０は、例えば、タッチパネルや押下式のボタン群、キーボード、マウスなどである。使用者は、入力部１３０を用いて、照明設計に必要な情報（例えば、建物仮想モデルの情報）や照明の評価項目毎に点数を入力することができる。
【００２６】
図４は、照明評価画面３０の一例を表す模式図である。この照明評価画面は表示部１４０に表示される。
照明評価画面３０は、建物の使用用途種別欄３１と照明の評価項目欄３２、重み係数テーブルに記憶された建物ごとの重み表示欄３３、評価点入力欄３４、重み付け後の評価点欄３５、総合点数表示欄３６が表示される。表示されている。
建物の使用用途種別欄３１には建物の使用用途が表示される。評価項目欄３２は照明の質を評価するための項目である。
【００２７】
評価項目欄３２と重み係数テーブルに記憶された評価項目とは対応している。
評価点入力欄３４には入力部１３０を用いて評価点が入力される。
重み付け後の評価点欄３５には評価点入力欄３４に入力された評価点と重み係数に基づいて算出された重み付け後の評価点数が表示される。
総合点数表示欄３６には重み付け後の評価点と環境付加の点数がそれぞれ１００点満点換算されて表示される。
【００２８】
表示部１４０は、液晶表示パネル等からなるディスプレイ装置である。
表示部１４０には建物仮想モデルに基づいて、建物の照明点灯状態を視覚的に確認できる仮想建物図が表示される。仮想建物図は例えば建物を３次元表示した立体図である。
表示部１４０に表示される仮想建物図の見え方は使用者の視線（以下視線のことを視点と称す。）に対応している。使用者は入力部１３０を用いて視点を自由に動かすことができ、例えば、天井を見上げる、床に視線を落とす、などの動作を表示部１４０内で行うことができる。
記憶部１５０は、例えば、半導体メモリであり、照明設計制御部１２０での処理に用いられる。
【００２９】
照明設計制御部１２０は、建物内の照明の評価に必要な種々の計算をおこなう。照明設計制御部１２０は照明器具配置算出部１２１、照明状態算出部１２２、重み付け評価点算出部１２３、重み係数切り替え部１２４を有する。
照明設計制御部１２０はデータベース１１０から照明器具を選択する選択部として機能する。
【００３０】
照明器具配置算出部１２１は天井面上での照明器具の配置を算出する。
照明状態算出部１２２は、建物内での照明状態（照度、照度分布、照度比）を算出する。
重み付け評価点算出部１２３は、入力部１３０によって入力された評価項目の点数および建物の使用用途と対応する重み係数とに基づいて、照明評価点を算出する。
重み係数切り替え部１２４は、入力部１３０によって入力された建物の使用用途の応じて、評価点を算出する際に適用する重み係数を切り替える。
【００３１】
（照明評価装置１００の動作）
照明評価装置１００の動作を説明する。図５は照明評価装置１００の動作を示すフローチャートである。
（１）設計項目の入力（ステップＳ１１）
まず表示部１４０に仮想建物図を表示するために、使用者が入力部１３０を用いて設計項目を入力する。
基本的に、建物仮想モデルで説明したパラメータが入力される。但し、照明率、保守率は、入力される設計項目に含まれていない。入力の手間を省くため、規定値を用いたことに依る。
建物の種別、照明器具、目標照度、はステップＳ１１での入力項目には含まれるが、建物仮想モデルのパラメータ自体には含まれない。
【００３２】
「建物の種別」の欄には、例えば、「ホテル」、「オフィス」などが入力される。この入力された「建物の種別」は重み係数テーブルを用いた照明評価点の算出に利用される。
「照明器具」の欄には、図２に示す照明器具の型番が入力される。この入力および照明器具テーブルに基づいて、照明器具の全光束が特定される。
目標照度は、次のステップＳ１２での照明器具の台数の算出に用いられる。
【００３３】
（２）照明器具の配置の算出（ステップＳ１２）
照明器具の配置が算出される。これは、以下の手順でなされる。
１）照明器具の台数の算出
照明器具の台数は、例えば、以下の演算式で算出できる。
Ｎ＝Ｅ×（Ｘ×Ｙ）/（Ｆ×Ｕ×Ｍ）
Ｎは照明器具の台数。Ｅは机上面での目標照度。Ｘは建物の間口。Ｙは建物の奥行き。Ｆは照明器具一台の全光束。Ｕは照明率。Ｍは保守率。
【００３４】
なお、照明器具の台数は使用者が入力部１３０を用いて入力することもできる。入力された照明器具の台数から建物で得たい照度を算出することも可能である。
２）照明器具の配置の決定
照明器具の配置は、算出した照明器具の使用台数と、建物の間口、奥行きに基づいて決定できる。即ち、建物の天井面に対する照明器具の配列が決定される。この決定は、例えば、以下のようにしてなされる。
【００３５】
・建物の間口と奥行きの比Ｌ０が算出される。
・算出された台数Ｎを２つの因数ｍ、ｎに分解し（Ｎ＝ｍ×ｎ）、因数の比Ｌ１（Ｌ１＝ｍ／ｎ）を算出する。
・比Ｌ１が比Ｌ０に近似すれば（例えば、差の絶対値が所定値より小さい）、そのときのｍ、ｎを照明器具の行数、列数として、照明器具の配置が決定される。
・比Ｌ１が比Ｌ０に近似していなければ、台数Ｎの異なる組み合わせの因数について、比Ｌ１が算出され、比Ｌ０と比較される。
【００３６】
Ｎの全ての因数の組み合わせに対して、比Ｌ０に近似するＬ１が存在しなければ、台数Ｎが変更され、比Ｌ０に近似するＬ１が得られるまで、同様の処理がなされる。例えば、算出された台数Ｎに１が加算され（Ｎ←Ｎ＋１）、その因数ｎ、ｍの組み合わせが探索される。
【００３７】
以上のようにして、照明器具の行数、列数、即ち、照明器具の配置が算出される。算出された照明配置となるように照明器具は均等に天井面に配置される。なお、このとき天井面の辺から所定の間隔を有して、照明器具が配置されるものとする。
【００３８】
（３）照度算出（ステップＳ１３）
１）照度分布
天井面に配置された照明器具による建物の照度分布が算出される。具体的には、床面、壁面、天井面それぞれの照度が算出される。照度は表示部１４０内での建物の明るさを表す。
例えば、照明器具を点光源として、床面等との距離、方向に基づいて、床面等での照度を算出できる。具体的には、床面、壁面、天井面をメッシュ状に区切り、このメッシュの交点での照度が算出される。このとき、床面の照度Ｅは次式から算出できる。
Ｅ＝Ｅｎ×ＣＯＳθ
Ｅは床面の照度、Ｅｎは照明器具から床面までの法線照度、ＣＯＳθは照明器具のメッシュの交点に対する角度。
【００３９】
照明器具から床面までの法線照度Ｅｎは距離の逆二乗の法則を用いて算出される。
すなわち、Ｅｎ＝Ｉθ/ｈ＾２
Ｅｎは法線照度。Ｉθはメッシュの交点方向の光度、ｈは照明器具から床面までの距離。
【００４０】
２）机上面照度、壁面照度、天井面照度、床面照度の算出
机上面照度、壁面照度、天井面照度、床面照度は、壁面上等のメッシュの交点での照度を平均することで、算出される。なお、照度の算出は配置された照明器具全てを加味して行う。
【００４１】
（４）建物内の壁面、天井面、床面の色の算出（ステップＳ１４）
壁面、天井面、床面にはＲＧＢ各光束成分の反射率が設定されている。この反射率は赤色光の反射率Ｒ０、緑色光の反射率Ｇ０、青色光の反射率Ｂ０である。
次に以下の式を用いて壁面の色を構成する成分を算出する。
・Ｔ１＝Ｒ０×（Ｌｒ/Ｌ）
・Ｔ２＝Ｇ０×（Ｌｇ/Ｌ）
・Ｔ３＝Ｂ０×（Ｌｂ/Ｌ）
Ｔ１は壁面の赤色の成分。Ｔ２は壁面の緑色の成分。Ｔ３は壁面の青色の成分。Ｒ０はＲ光束成分の反射率。Ｇ０はＧ光束成分の反射率。Ｂ０はＢ光束成分反射率。Ｌは光束。ＬｒはＲ光束成分。ＬｇはＧ光束成分。ＬｂはＢ光束成分。
【００４２】
次に、ｘｙ色度図の座標を算出する。
ｘｙ色度図の座標の算出は以下の式によって行われる。
・ｘ＝Ｘ／（Ｘ＋Ｙ＋Ｚ）
・ｙ＝Ｙ／（Ｘ＋Ｙ＋Ｚ）  
ｘはｘｙ色度図のｘ座標の値。ＸはＴ１〜Ｔ３の値から求まる赤の刺激値。ＹはＴ１〜Ｔ３の配光データから求まる緑および明るさの刺激値。ＺはＴ２、Ｔ３の配光データから求まる青の刺激値。ｙはｘｙ色度図のｙ座標の値。
【００４３】
算出されたｘ、ｙに対応するｘｙ色度図の座標の色が壁面の色となる。
三刺激値Ｘ、Ｙ、Ｚは以下の式によって算出される。
・Ｘ=２.７６８９×Ｔ１+１.７５１７×Ｔ２+１.１３０２×Ｔ３ 
・Ｙ=Ｔ１+４．５９０７×Ｔ２+０．０６１Ｔ３ 
・Ｚ=０．０５６５×Ｔ２+５．５９４３×Ｔ３
Ｔ１は壁面の赤色の成分。Ｔ２は壁面の緑色の成分。Ｔ３は壁面の青色の成分。
壁面、天井面、床面の輝度（すなわち表示部１４０上での色）も同様に算出する。
【００４４】
（５）仮想建物図の表示（ステップＳ１５）
入力された各パラメータ、算出された照明器具の台数、ＲＧＢの各光束成分、色度図の座標に対応する色、各照度、輝度などを反映させた仮想建物図が表示部１４０に表示される。すなわち、照明器具が配置された建物の照明状態が表示される。
このとき照度の低い部分は暗く、照度の高い部分は明るく表示される。
使用者は、この仮想建物図を見て照明の評価項目を評価する。すなわち。建築物の形状（開放感）、照明器具点灯時の建物全体の明るさ（維持照度）、明るさの分布（照度均斉度）、光源の光色、そして天井面、床面、壁面の色（空間の色彩調和）を評価する。
【００４５】
また、仮想建物図の壁面または天井面の一部には窓種別テーブルからランダムに検出された窓の情報に対応した画像が表示される。
この窓の表示によって建物の開放感や昼光利用の度合いを認識することができる。
窓の情報は入力部１３０を用いて使用者が任意に指定することもできる。この場合には表示部１４０に窓種別テーブルを表示し、入力部１３０を用いて適宜選択する。
【００４６】
（６）グレアの算出（ステップＳ１６）
グレアＵＧＲは例えば以下の式によって算出される。
ＵＧＲ＝８Ｌｏｇ〔（０.25/Ｌｂ）×Σ｛（Ｌｃ＾２×ω）/Ｐ＾２｝〕
Ｌｂは背景の輝度。Ｌｃは 各照明器具の輝度。ωは:現在の仮想建物図の視点と照明器具との立体角。Ｐは 各照明のポジションインデックス。
背景の輝度Ｌｂは以下の式で算出される。
Ｌｂ＝Ｅ０/（π×Ω０）
Ｅ０は床面からの所定の高さにおける照明の照度。Ω０は 現在の仮想建物図の視点と照明器具との立体角。
【００４７】
算出されたグレアＵＧＲは表示部１４０に表示される。使用者は表示部１４０に表示されたグレアＵＧＲの数値に基づいて、グレアの評価を行う。この グレアUGR の値の目安は例えばオフィスでは１９程度である。すなわち、オフィスではグレアＵＧＲの値が１９より大きかった場合、グレアに対する評価が悪くなる。
【００４８】
（７）評価項目入力（ステップＳ１７）
表示部に表示された仮想建物図に基づき、入力部１３０によって評価項目毎に点数を入力する。
（８）評価点算出（ステップＳ１８）
まず「環境負荷」の項目以外の項目について入力された点数と、重み係数テーブルに基づき、建物での評価点数が算出される。
この算出は以下の式によって行われる。
Ｓ＝（Ｔ×Ｔ１）/Ｇ
Ｓは重み付け後の評価点。Ｔは入力された評価点。Ｔ１は重み係数。Ｇは重み係数の総和。
次に求められた重み付け後の評価点の総和を１００点満点に換算して総合点数を算出する。
「環境負荷」の項目についても同様に行う。
【００４９】
（９）評価点数と環境負荷の比較図表示（ステップＳ１９）
総合点数対環境負荷のグラフを図６に示すように表示部１４０に表示する。
算出された環境負荷値にたいする評価点数を表示部１４０に表示することによって使用者は照明設計の良し悪しを視覚的に確認することができる。
照明設計の良し悪しは環境負荷値に対する評価点数に対応する点７２が領域７３、７４のどちらに存在するかによって容易に確認することができる。点７２が領域７３にあった場合、環境負荷値に対して評価点数が大きいことになり、照明設計の質が高いことを示している。
【００５０】
（１０）レーダーチャート表示（ステップＳ２０）
重み付け後の評価点を図７に示すようなレーダーチャートを表示部１４０に表示させる。レーダーチャートを表示部１４０に表示することによって使用者は各評価項目の点数を視覚的に認識することができる。
表示部１４０に表示させるレーダーチャートは評価項目ごとでもよいし評価ジャンルでもよい。評価ジャンルを表示させるときは評価ジャンルに対応する評価項目ごとに評価点の合計を算出しておこなう。
以上説明したように、この実施例の照明評価装置１００によれば実際の建物の照明環境に対応した評価を画面上で行うことができ、評価項目に従って評価点を付けることによって、照明設計を行うとともに照明環境の評価点を算出することができる。
【００５１】
（１１）建物の使用用途の変更（ステップＳ２１）
ここで使用用途を他の使用用途に変更した場合、ステップＳ１６からの処理を繰り返す。すなわち、使用用途の変更に対応して表示部１４０に表示されたレーダーチャートが変化する。
この変化前と変化後のレーダーチャートを参照すれば、入力した建物に必要な評価点が低いのか、入力した建物に必要無くて低いのかを区別することができる。
以上のようにこの照明評価装置１００によれば使用者は表示部１４０に表示された内容を参照しながら建物の照明についての評価を行うことができる。
【図面の簡単な説明】
【００５２】
【図１】照明評価装置１００の構成を示すブロック図である。
【図２】照明器具テーブルの一例を表す模式図である。
【図３】重み係数テーブルの一例を表す模式図である。
【図４】照明評価画面３０の一例を表す模式図である。
【図５】照明評価装置１００の動作を示すフローチャートである。
【図６】総合点数対環境負荷のグラフである。
【図７】重み付け後の評価点を示すレーダーチャートである。
【符号の説明】
【００５３】
１００…照明評価装置、１１０…データベース、１２０…照明設計制御部、１２１…照明器具配置算出部、１２２…照明状態算出部、１２３…重み付け評価部点算出部、１２４…重み係数切り換え部、１３０…入力部、１４０…表示部、１５０…記憶部。
【図１】
2009015397.tif 000003
【図２】
2009015397.tif 000004
【図３】
2009015397.tif 000005
【図４】
2009015397.tif 000006
【図５】
2009015397.tif 000007
【図６】
2009015397.tif 000008
【図７】
2009015397.tif 000009